(57)【要約】【課題】筒容器Ａ、操作体Ｂ、支持皿Ｃ及びキャップＤの四部品の何れかどうしを一体成形し、成形型の数を減らし、しかもその一体成形した部品を、その一体成形した状態で組み合わせることができる棒状固形物用容器を提供する。【解決手段】筒容器Ａと、この筒容器Ａ内にねじ込まれる操作体Ｂと、棒状固形物を支持する支持皿Ｃと、筒容器Ａの上端開口に被せられるキャップＤの各部品を組み合わせてなり、これら各部品を合成樹脂で作製したものとし、前記操作体Ｂは、上端を閉じた縦長円筒とし、その上方に支持皿Ｃを一体成形したものとしている。【選択図】図７
2017029350.tif 000002
【特許請求の範囲】
【請求項１】
筒容器（Ａ）と、この筒容器（Ａ）内にねじ込まれる操作体（Ｂ）と、棒状固形物を支持する支持皿（Ｃ）と、筒容器（Ａ）の上端開口に被せられるキャップ（Ｄ）の各部品を組み合わせてなり、これら各部品を合成樹脂で作製したものとし、前記操作体（Ｂ）は、上端を閉じた縦長円筒とし、その上方に支持皿（Ｃ）を一体成形したことを特徴とする棒状固形物用容器。
【請求項２】
前記筒容器（Ａ）は、縦長円筒とし、その周壁（１）の外面の上端より少し下方位置において、キャップ（Ｄ）を一体成形したことを特徴とする請求項１記載の棒状固形物用容器。
【請求項３】
前記支持皿（Ｃ）を、上端に弱め部（３ａ）を有した連結体（３）を介して、操作体（Ｂ）の上方に一体成形したことを特徴とする請求項１記載の棒状固形物用容器。
【請求項４】
前記キャップ（Ｄ）を、筒容器（Ａ）寄りのヒンジ部（２ａ）とキャップ（Ｄ）寄りのヒンジ部（２ｂ）を有した連結体（２）を介して、前記筒容器（Ａ）の側方に一体成形したことを特徴とする請求項１記載の棒状固形物用容器。
【発明の詳細な説明】
【技術分野】
【０００１】
この発明は、スティックタイプのリップクリームや口紅、固形糊などの棒状固形物に用いられる容器に関するものである。
【背景技術】
【０００２】
従来、この種の棒状固形物用容器は、筒容器からキャップを取り外し、操作体を回転させることにより、使用時には筒容器内から棒状固形物を突出させ、不使用時には筒容器内に棒状固形物を入り込ませることができるようにしている。
【０００３】
このような棒状固形物用容器としては、例えば図８、９に示したように、筒容器Ａと、この筒容器Ａ内に挿入される操作体Ｂと、同様に筒容器Ａ内に収納され、操作体Ｂと螺合する支持皿Ｃと、前記筒容器Ａの上端に被せられるキャップＤの各部品を組み合わせてなり、これら各部品を合成樹脂で作製したものが存在する（特許文献１〜３）。
【０００４】
筒容器Ａは、周壁１１内部の下端又は下端より少し上方位置において、中央に挿通孔１２を有した底壁１３を一体的に設けている。そして、挿通孔１２の周縁部の底壁１３からは周方向に弾性支持突片１４を設けている。
【０００５】
操作体Ｂは、把持部１５の上方に段部１６を形成して、さらにその上方に螺軸１７を設けている。そして、筒容器Ａの下方より螺軸１７を挿通孔１２に挿通して、弾性支持突片１４を押し開いて段部１６に弾性支持突片１４の上端を係止させて、筒容器Ａに対して回転可能に装着している。操作体Ｂを回転させる際には、筒容器Ａの外部から把持部１５を摘んで回転させることができる。
【０００６】
支持皿Ｃは、中央に貫通孔１８を有した支持板１９の周縁部に外筒部２０を設け、また貫通孔１８の周縁部に内筒部２１を設けている。この内筒部２１の内面には、操作体Ｂの螺軸１７と螺合する螺条２２を設けている。そして、支持皿Ｃを、操作体Ｂを装着した筒容器Ａの上方より、これら筒容器Ａ及び操作体Ｂに打ち込んで装着する。
【０００７】
このように構成した棒状固形物用容器を使用する場合は、図８に示した状態からキャップＤを取り外し、把持部１５を摘んで回転させれば、螺軸１７が回転して支持皿Ｃを上昇させ、支持皿Ｃ上の棒状固形物（図示せず）を上昇させて、筒容器Ａの上端開口より突出させて、使用することができる。使用した後は、把持部１５を反対方向に回転させれば支持皿Ｃが下降し、棒状固形物が筒容器Ａ内に入り込むようにしている。
【先行技術文献】
【特許文献】
【０００８】
【特許文献１】特開２００９−５０３７４号公報
【特許文献２】実用新案登録第２５３４９４３号公報
【特許文献３】実用新案登録第３０１０２２９号公報
【発明の概要】
【発明が解決しようとする課題】
【０００９】
しかしながら、従来の棒状固形物用容器では、筒容器Ａ、操作体Ｂ、支持皿Ｃ及びキャップＤの四部品がそれぞれ別々になっており、これら部品が別々に合成樹脂成形されているため、成形型も多く必要となり、さらにこれらの部品を組み合わせるのも面倒であるという問題点を有していた。
【００１０】
そこで、この発明は、上記従来の問題点を解決することをその課題としており、筒容器Ａ、操作体Ｂ、支持皿Ｃ及びキャップＤの四部品の何れかどうしを一体成形し、成形型の数を減らし、しかもその一体成形した部品を、その一体成形した状態で組み合わせることができる棒状固形物用容器を提供することを目的としてなされたものである。
【課題を解決するための手段】
【００１１】
そのため、この発明の棒状固形物用容器は、筒容器Ａと、この筒容器Ａ内にねじ込まれる操作体Ｂと、棒状固形物を支持する支持皿Ｃと、筒容器Ａの上端開口に被せられるキャップＤの各部品を組み合わせてなり、これら各部品を合成樹脂で作製したものとし、前記操作体Ｂは、上端を閉じた縦長円筒とし、その上方に支持皿Ｃを一体成形したものとしている。
【００１２】
そして、この発明の棒状固形物用容器において、前記筒容器Ａは、縦長円筒とし、その周壁１の外面の上端より少し下方位置において、キャップＤを一体成形したものとしている。
【００１３】
さらに、この発明の棒状固形物用容器は、前記支持皿Ｃを、上端に弱め部３ａを有した連結体３を介して、操作体Ｂの上方に一体成形したものとしている。
【００１４】
また、この発明の棒状固形物用容器は、前記キャップＤを、筒容器Ａ寄りのヒンジ部２ａとキャップＤ寄りのヒンジ部２ｂを有した連結体２を介して、前記筒容器Ａの側方に一体成形したものとしている。
【発明の効果】
【００１５】
この発明の棒状固形物用容器は、以上に述べたように構成されており、操作体Ｂと支持皿Ｃを一体成形したので、成形型の数を減らすことができ、成形型を作製する費用を削減したり、成形に要する時間を短縮したりすることができ、製造コストが安価なものとなる。
【００１６】
そして、この発明の棒状固形物用容器は、さらに筒容器ＡとキャップＤを一体成形したので、成形型の数をより減らすことができ、成形型を作製する費用をより削減したり、成形に要する時間をより短縮したりすることができ、製造コストがより安価なものとなる。
【００１７】
しかも、この発明の棒状固形物用容器は、前記一体成形した部品を、その一体成形した状態で組み合わせることができるので、組み合わせ作業が容易に行なえ、製造コストがさらに安価なものとなる。
【図面の簡単な説明】
【００１８】
【図１】この発明の棒状固形物用容器の一実施形態を示しており、キャップを一体成形した筒容器の斜視図である。
【図２】図１に示す筒容器の側面図である。
【図３】図１に示す筒容器の縦断面図である。
【図４】この発明の棒状固形物用容器の一実施形態を示しており、支持皿を一体成形した操作体の斜視図である。
【図５】図４に示す操作体の正面図である。
【図６】図４に示す操作体の側面図である。
【図７】この発明の棒状固形物用容器の筒容器、操作体、支持皿及びキャップを組み合わせた状態の縦断面図である。
【図８】従来の棒状固形物用容器の一例を示す縦断面図である。
【図９】図８に示す従来の棒状固形物用容器を分解した状態の断面図である。
【発明を実施するための形態】
【００１９】
以下、この発明の棒状固形物用容器の実施の形態について、図面に基づいて詳細に説明する。
【００２０】
この発明の棒状固形物用容器は、筒容器Ａと、この筒容器Ａ内にねじ込まれる操作体Ｂと、棒状固形物（図示せず）を支持する支持皿Ｃと、筒容器Ａの上端開口に被せられるキャップＤの各部品を組み合わせてなり、これら各部品を合成樹脂で作製したものとしている。
【００２１】
筒容器Ａは、縦長円筒とし、その周壁１の外面の上端より少し下方位置において、キャップＤを一体成形したものとしている。すなわち、キャップＤを、筒容器Ａ寄りのヒンジ部２ａとキャップＤ寄りのヒンジ部２ｂを有した連結体２を介して、筒容器Ａの側方に一体成形し、長さ方向にこれら筒容器ＡとキャップＤとが同時に型抜きできるようにしている。
【００２２】
そして、キャップＤを開いた状態では、キャップＤが水平方向の状態を維持するようにしており、キャップＤを閉じるときは、ヒンジ部２ａ、２ｂを折り曲げて、キャップＤを筒容器Ａの上端開口に被せることができるようにしている。なお、連結体２は、帯状体としており、必要に応じてこの帯状体の中央部に開口２ｃを形成するなどして肉抜きしている。ヒンジ部２ａ、２ｂは、肉薄状に形成し、折り曲げ易いものとしている。
【００２３】
操作体Ｂは、上端を閉じた縦長円筒とし、その上方に支持皿Ｃを一体成形したものとしている。すなわち、支持皿Ｃを、上端に弱め部３ａを有した連結体３を介して、操作体Ｂの上方に一体成形し、長さ方向にこれら操作体Ｂと支持皿Ｃとが同時に型抜きできるようにしている。
【００２４】
支持皿Ｃは、皿部４の上方に棒状固形物の支持片５を突設しており、皿部４の下方に、連結体３の掛止板３ｂを外方から囲んで、この掛止板３ｂを引っ掛けるようにした掛体６を設けたものとしている。なお、連結体３は、棒状体としており、上部又は上部寄りに水平方向に掛止板３ｂを設けている。弱め部３ａは、細軸状に形成し、捩じることにより切断されるものとしている。
【００２５】
さらに、操作体Ｂは、下半部を摘み部７とし、上半分をねじ込み部８としている。摘み部７は、指で摘んだ場合に滑りにくいように外周に多数のリブ７ａを形成したものとしている。ねじ込み部８は、外周に外ネジ溝８ａを設けたものとしており、筒容器Ａの周壁１の内面に設けた内ネジ溝１ａに螺合するようにしている。なお、この内ネジ溝１ａは、筒容器Ａの周壁１の内面の全面に設けたものとしてもよいが、図示したように、この周壁１の内面の一部面に設けたものとするだけでよい。
【００２６】
さらに、支持皿Ｃの皿部４は、筒容器Ａに溶融状態の棒状固形物が充填されるときに、この溶融状態の棒状固形物が通過して、連結体３の周囲や掛体６の周囲に入り込むように、適宜個所に切欠き９を形成したものとしている。
【００２７】
以上のように構成したこの発明の棒状固形物用容器は、図７に示したように、筒容器Ａ、操作体Ｂ、支持皿Ｃ、キャップＤの各部品を組み合わせた状態において、溶融状態の棒状固形物を筒容器Ａの上端開口から、その中空部Ｓに充填していく。
【００２８】
すると、溶融状態の棒状固形物は、中空部Ｓを満たした後、皿部４の切欠き９を通過して、連結体３の周囲や掛体６の周囲に入り込み、冷えて固まり、これら皿部４、連結体３及び掛体６の周囲に纏わり付く。したがって、冷えて固まった棒状固形物は、支持皿Ｃに確りと支持される。
【００２９】
さらに、水平状態のキャップＤを、図７に示した状態から、ヒンジ部２ａを折り曲げて立ち上げ、ヒンジ部２ｂを折り曲げて筒容器Ａの上端開口に被せておく。
【００３０】
そして、この発明の棒状固形物用容器は、このような状態で袋詰めするなどして、出荷したり、その状態で保管したりする。
【００３１】
次に、この発明の棒状固形物用容器を使用する場合は、袋詰めするなどしているときには、その袋から出し、筒容器Ａの上端開口に被せられたキャップＤを開き、操作体Ｂの摘み部７を摘んで時計回りに回転させれば、連結体３の弱め部３ａが捩じられて切断され、この操作体Ｂが上昇し、連結体３が支持皿Ｃを押し上げるので、支持皿Ｃに支持された棒状固形物が上昇する。
【００３２】
すると、筒容器Ａ内の棒状固形物が筒容器Ａの上端開口から突き出していくので、適当な分量を突き出させ、筒容器Ａ又は操作体Ｂを摘んで使用する。
【００３３】
そして、この発明の棒状固形物用容器を使用した後は、操作体Ｂの摘み部７を摘んで反時計回りに回転させれば、この操作体Ｂが下降し、連結体３の掛止板３ｂが支持皿Ｃの掛体６に引っ掛かり、支持皿Ｃを引き下げるので、支持皿Ｃに支持された棒状固形物が下降する。
【００３４】
すると、突き出した棒状固形物が筒容器Ａに入り込んでいくので、この突き出した分量を筒容器Ａに入り込ませ、キャップＤを筒容器Ａの上端開口に被せておけばよい。
【００３５】
この発明の棒状固形物用容器は、以上に述べたように構成されており、筒容器Ａの側方にキャップＤを一体成形し、これら筒容器ＡとキャップＤとが同時に型抜きできるようにしたので、成形型の数を減らすことができ、成形型を作製する費用を削減したり、成形に要する時間を短縮したりすることができ、製造コストが安価なものとなる。
【００３６】
さらに、この発明の棒状固形物用容器は、操作体Ｂの上方に支持皿Ｃ一体成形し、これら操作体Ｂと支持皿Ｃとが同時に型抜きできるようにしたので、成形型の数を減らすことができ、成形型を作製する費用を削減したり、成形に要する時間を短縮したりすることができ、製造コストが安価なものとなる。
【００３７】
そして、この発明の棒状固形物用容器は、前記一体成形した筒容器ＡとキャップＤ、一体成形した操作体Ｂと支持皿Ｃを、その一体成形した状態で組み合わせることができるので、組み合わせ作業が容易に行なえ、より製造コストが安価なものとなる。
【符号の説明】
【００３８】
１  周壁
２  連結体
２ａ  ヒンジ部
２ｂ  ヒンジ部
３  連結体
３ａ  弱め部
Ａ  筒容器
Ｂ  操作体
Ｃ  支持皿
Ｄ  キャップ
【図１】
2017029350.tif 000003
【図２】
2017029350.tif 000004
【図３】
2017029350.tif 000005
【図４】
2017029350.tif 000006
【図５】
2017029350.tif 000007
【図６】
2017029350.tif 000008
【図７】
2017029350.tif 000009
【図８】
2017029350.tif 000010
【図９】
2017029350.tif 000011